(57)【要約】      （修正有）【課題】車体とドア部材との間に用いられ、ドア部材を押し開くと、出入りスペースが形成されるとともに、遮蔽シートが出入りスペースを覆うように自動的に引っ張られて日よけや雨よけの効果を得ることができる雨よけテント構造を提供する。【解決手段】主に、ロール手段と、第１の固定部材１１と、遮蔽シートと、第２の固定部材１３とを備える雨よけテントであって、ロール手段は、伸縮コアと、伸縮コアに接続すると共に車体に固着可能な固定装置１０２とを備える。第１の固定部材が複数設けられ、遮蔽シートは伸縮コアに巻き付けられると共に伸縮コアにより開閉が切り替えられる。第２の固定部材はドア部材に設けられると共に遮蔽シートの係止孔の固定に用いられる。【選択図】図３
0003219126.tif 000002
【実用新案登録請求の範囲】
【請求項１】
車体と前記車体のドア部材との間に設けられる、押し開くと出入りスペースを形成可能な雨よけテントであって、
伸縮コアと、前記伸縮コアに接続すると共に前記車体に固着可能な固定装置とを備えるロール手段と、
前記伸縮コアに固定されている固定部と、前記伸縮コアに巻き付けられる開放部とを規定して有すると共に、前記伸縮コアにより開閉を切り替える遮蔽シートと、
前記ドア部材に設けられる、少なくとも１つの第２の固定部材と、を備える雨よけテントにおいて、
前記固定装置には、第１の固定部材が複数設けられており、
前記開放部は、少なくとも１つの係止孔が設けられており、
ドア部材を押し開く場合には、前記遮蔽シートは、前記第２の固定部材を前記係止孔に係止することにより、出入りスペースを覆うように引っ張られる
ことを特徴とする雨よけテント構造。
【請求項２】
前記第１の固定部材は、吸盤、磁石またはフックであることを特徴とする請求項１に記載の雨よけテント構造。
【請求項３】
前記第２の固定部材は、吸盤、磁石またはフックであることを特徴とする請求項１に記載の雨よけテント構造。
【請求項４】
前記ドア部材は、車のドアと、前記ドアに取り付けられているウィンドウとを含むことを特徴とする請求項１に記載の雨よけテント構造。
【請求項５】
前記第２の固定部材は、前記車のドアに設けられていることを特徴とする請求項４に記載の雨よけテント構造。
【請求項６】
前記第２の固定部材は、前記ウィンドウに設けられていることを特徴とする請求項４に記載の雨よけテント構造。
【請求項７】
更に、少なくとも１つの前記第１の固定部材と前記固定装置との間に設けられている第１のクッション部材を含むことを特徴とする請求項１に記載の雨よけテント構造。
【請求項８】
前記第１のクッション部材は、ばねであることを特徴とする請求項７に記載の雨よけテント構造。
【請求項９】
更に、少なくとも１つの前記第２の固定部材と前記係止孔との間に設けられている第２のクッション部材を含むことを特徴とする請求項１に記載の雨よけテント構造。
【請求項１０】
前記第２のクッション部材は、ばねであることを特徴とする請求項９に記載の雨よけテント構造。
【考案の詳細な説明】
【技術分野】
【０００１】
本考案は、雨よけテントに関し、特に、車体に設けられる雨よけテントの構造に関する。
【背景技術】
【０００２】
通常、雨の日には、車を運転することを輸送手段として選択する人が多い。又、雨が降っている際に、人が車を乗り降りするために、車のドアを開けながら傘の開閉をすることが必要になる。その結果、雨を浴びてしまい、また、車内にも雨が飛び込むなどの様々な不便を招来する恐れがある。
【０００３】
本考案の詳細な特徴および利点について、以下の実施形態において詳細に説明され、その内容からは、いずれかの当該技術分野を熟知した者であれば、本考案の技術的内容を理解し実施することが十分可能である。また、いずれかの当該技術分野を熟知した者は、本明細書に開示されている内容、実用新案登録請求の範囲および図面から、本考案に係る目的および利点を容易に理解することができる。
【考案の概要】
【０００４】
本考案は、主に、第１の固定部材と第２の固定部材とで、雨よけテントを車体およびドア部材にそれぞれ装着することにより、ドア部材を押し開くと、遮蔽シートが出入りスペースを覆うように自動的に引っ張られて日よけや雨よけの効果に達する雨よけテントを提供することを目的とする。
【０００５】
前記目的を達成するため、本考案は、車体と、前記車体に設けられるドア部材との間に用いられると共に、押し開くと出入りスペースを形成する構造を有する雨よけテントを提供する。
本考案に係る雨よけテント構造は、伸縮コアと、前記伸縮コアに接続されると共に前記車体に固着する可能な固定装置とを備えるロール手段と、前記伸縮コアにより開閉を切り替える、前記伸縮コアに固定されている固定部と、前記伸縮コアに巻き付けられる開放部とを規定して有する遮蔽シートと、前記ドア部材に設けられる少なくとも１つの第２の固定部材とを備える雨よけテントにおいて、第１の固定部材が複数設けられており、前記開放部は、少なくとも１つの係止孔が設けられており、ドア部材を押し開く場合、前記遮蔽シートは、前記第２の固定部材を前記係止孔に係止することにより、出入りスペースを覆うように引っ張られる。
【０００６】
本考案の一実施例によれば、前記第１の固定部材は、吸盤、磁石またはフックである。
【０００７】
本考案の一実施例によれば、前記第２の固定部材は、吸盤、磁石またはフックである。
【０００８】
本考案の一実施例によれば、前記ドア部材は、車のドアと、前記ドアに取り付けられたウィンドウとを含む。
【０００９】
本考案の一実施例によれば、前記第２の固定部材は、前記車のドアに設けられている。
【００１０】
本考案の一実施例によれば、前記第２の固定部材は、前記ウィンドウに設けられている。
【００１１】
本考案の一実施例によれば、更に、少なくとも１つの前記第１の固定部材と前記固定装置との間に設けられている第１のクッション部材を含む。
【００１２】
本考案の一実施例によれば、前記第１のクッション部材は、ばねである。
【００１３】
本考案の一実施例によれば、更に、少なくとも１つの前記第２の固定部材と前記係止孔との間に設けられている第２のクッション部材を含む。
【００１４】
本考案の一実施例によれば、前記第２のクッション部材は、ばねである。
【図面の簡単な説明】
【００１５】
【図１】図１は、本考案の好ましい実施例の一つを示す斜視図である。
【図２】図２は、本考案に係る雨よけテントの開閉様子の一つを示す図である。
【図３】図３は、本考案に係る雨よけテントを車両に取付られる使用状態の一例を示す図である。
【図４】図４は、本考案に係る雨よけテントを車両に適用される使用状態の一例を示す平面図である。
【図５】図５は、本考案に係る雨よけテントを車両に適用される他の使用状態の一例を示す平面図である。
【図６】図６は、本考案に係る他の一例において雨よけテントの開閉様子を示す図である。
【図７】図７は、本考案に係る雨よけテントを車内に適用される使用状態の一例を示す図である。
【考案を実施するための形態】
【００１６】
以下に、具体的な実施例を挙げて本考案に係る実施形態について説明する。当該技術分野を熟知した者は、本明細書に開示している内容から、本考案のその他の利点および効果を容易に理解することができる。
【００１７】
本明細書に添え付けられた図面に示した構造、割合、大きさなどは、いずれも、当該技術分野を熟知した者が明細書に掲示した内容に合わせて理解および閲読するために用いられるだけであり、本考案の実施可能な制限条件を限定するものではないので、技術的な意味はなく、いかなる構造上の補正、割合関係の変更または大きさの調整は、本考案ができる効果および達成可能な目的に影響を与えない下で、本考案に掲示された技術的内容がカバーできる範囲に納入すべきである。同時に、本明細書で引用した例えば“１”、“２”、“上”などのような用語は、単に説明の便宜上であり、本発明の実施可能な範囲を限定するものではなく、その相対的関係の変更または調整は、本考案の趣旨が変更されない場合、本考案の実施可能な範疇とも見なされる。
【００１８】
図１は、本考案における好ましい実施例の一つを示す斜視図であり、図２は、本考案に係る雨よけテントの開閉様子の一例を示す図である。図１および図２に示すように、本考案の雨よけテント構造は、車体と、前記車体に設けられるドア部材との間に適用されると共に、押し開くと出入りスペースを形成することが可能な構造である。雨よけテント１は、主に、ロール手段１０と、第１の固定部材１１（吸盤、磁石またはフックであればよい）と、遮蔽シート１２と、第２の固定部材１３（吸盤、磁石またはフックであればよい）とを含み、ロール手段１０は、伸縮コア１００と、伸縮コア１００に接続された固定装置１０２とを備え、固定装置１０２には車体に固着可能な第１の固定部材１１が複数設けられる。遮蔽シート１２は、固定部１２０と開放部１２２とを規定し、固定部１２０が伸縮コア１００に固定し、遮蔽シート１２全体が伸縮コア１００に巻き付けられ、伸縮コア１００により遮蔽シート１２を開閉するように変化させる。また、開放部１２２に少なくとも１つの係止孔１２４が設けられ、係止孔１２４は、第２の固定部材１３が係止することで第２の固定部材１３をドア部材に設けるために用いられる。
【００１９】
図３は、本考案に係る雨よけテントを車両に取付される使用状態を示す図であり、図４は、雨よけテントを車両に適用される使用状態を示す平面図であり、図５は、他の使用状態を示す平面図である。
図３、図４および図５を併せて参照し、各図面から分かるように、本考案において、主に、雨よけテント１は、車体２とドア部材３との間に設置されている。ドア部材３では、車のドア３０と、ドア３０に取り付けられたウィンドウ３２とを含んでいる。組み立てを行う際に、通常、第２の固定部材１３を先立ちにドア３０またはウィンドウ３２に装着するが、本実施例では、第２の固定部材１３がウィンドウ３２に装着されたことを一例として挙げている。
そして、固定装置１０２に設けられた第１の固定部材１１を車体２に装着する。ドア部材３を開くと、車体２との間に出入りスペース４は形成され、ドア部材３が開けられると、ウィンドウ３２における第２の固定部材１３とも同期移動することにより、第２の固定部材１３に固定された遮蔽シート１２は引っ張られる。この時、遮蔽シート１２は出入りスペース４の上方を覆うことになる。その結果、遮蔽シート１２が出入りスペース４の上方を覆うことで、日よけや雨よけの効果に達することができる。また、図５は、２枚の雨よけテント１で出入りスペース４の上方を全部覆うことになり、完璧な日よけや雨よけの効果に達する。そのほか、雨よけテント１が展開した後、遮蔽シート１２に伸縮可能な支持板（図示せず）を設けて遮蔽シート１２を支えることで、開きすぎて沈下してしまうことが避けられる。
【００２０】
ドア部材３が閉じられると、出入りスペース４はなくなる。このとき、第２の固定部材１３は元の位置に戻ることにより、第２の固定部材１３に固定された遮蔽部材１２が伸縮コア１００に巻き付けられる。このように、本考案に係る雨よけテント１は、組み立て上に便利であるだけでなく、使用時に日よけや雨よけの効果に達することもできる。
【００２１】
図６は、本考案の他の実施形態における雨よけテントの開閉様子の一つを示す図である。図６をさらに参照する。図６に示すように、本考案の雨よけテントは、主に、第１の固定部材１１と固定装置１０２との間には第１のクッション部材５（ばね）が取り付けられており、第２の固定部材１３と係止孔１２４との間には第２のクッション部材６（ばね）が取り付けられている。
本考案の雨よけテント１は、いかなるモデルの車にも適用することが可能である。一般に、各種の車両のドアは、ほとんど、アーク状にするように開かれているが、各々の車両モデルに応じて、車のドアの開き角が異なっている。このため、上記第１のクッション部材５と上記第２のクッション部材６とを介することができれば、全体が引っ張られた際のクッション効果を発揮することができ、全体が引っ張られる際の平滑性を向上させることができる。
【００２２】
図７は、本考案に係る雨よけテントを車内に適用される使用状態を示す図である。さらに、図７を参照する。図７に示すように、本考案の雨よけテントは、主に、雨よけテント１を車体２とドア部材３との間に取り付けるので、雨の日でも使いやすい。使用の際に、まず第２の固定部材１３をウィンドウ３２の内側面に装着し、固定装置１０２に設けられた第１の固定部材１１が車体２内の天井に装着される。ここで、第１の固定部材１１は、磁石またはフックを用いてもよい。ドア部材３を開けると、車体２との間に出入りスペース４が形成される。ドア部材３が開けられると、ウィンドウ３２における第２の固定部材１３とも同期移動することにより、第２の固定部材１３に固定された遮蔽シート１２が引っ張られている。この時、遮蔽シート１２は出入りスペース４の上方を覆うことになるため、雨の日にも遮蔽シート１２で出入りスペース４の上方を覆うことにより、雨よけの効果に達することができる。
【００２３】
前記実施例は、本考案の原理とその効果を例示的に説明するのみであり、本考案を限定するものではない。いずれかの当該技術分野を熟知した者は、本考案の精神および範囲を逸脱しない限り、上記実施例について補正を行うことができる。そのため、本考案の権利は、後述の実用新案登録請求の範囲に列挙されたものでなければならない。
【符号の説明】
【００２４】
１          雨よけテント
２          車体
３          ドア部材
４          出入りスペース
５          第１のクッション部材
６          第２のクッション部材
１０        ロール手段
１１        第１の固定部材
１２        遮蔽シート
１３        第２の固定部材
３０        車のドア
３２        ウィンドウ
１００      伸縮コア
１０２      固定装置
１２０      固定部
１２２      開放部
１２４      係止孔
【図１】
0003219126.tif 000003
【図２】
0003219126.tif 000004
【図３】
0003219126.tif 000005
【図４】
0003219126.tif 000006
【図５】
0003219126.tif 000007
【図６】
0003219126.tif 000008
【図７】
0003219126.tif 000009